(57)【要約】【課題】複数の文書が複数のカテゴリに多対多の関係で分類されている場合に、カテゴリ間に重複して分類される文書の個数を直感的に分かりやすく表示すること。【解決手段】選択図中の画面において、カテゴリＡ〜Ｄごとに表示される数値は、「カテゴリ内の文書のうち選択中のカテゴリにも分類される文書数／カテゴリ内の文書数」を意味している。図中、選択中のカテゴリとはチェックボックス４００ａに印のあるカテゴリＡであり、たとえばカテゴリＢの「１／３」は、全文書中カテゴリＢに分類される３つの文書のうち、カテゴリＡにも重複して分類される文書は１つであることを示している。このように本発明では、画面上でカテゴリＡが選択されれば「Ａ∩Ｂ」「Ａ∩Ｃ」「Ａ∩Ｄ」に、カテゴリＢが選択されれば「Ｂ∩Ａ」「Ｂ∩Ｃ」「Ｂ∩Ｄ」に、それぞれ該当する文書の個数を求めて切り替え表示する。【選択図】        図５
2005267597.tif 000002
【特許請求の範囲】
【請求項１】
複数の電子文書を多様な切り口から複数のカテゴリに分類してユーザに提示するタキソノミー表示装置において、
前記各カテゴリに分類される前記電子文書の個数を計数する第１の計数手段と、
前記各カテゴリと前記第１の計数手段により計数された前記電子文書の個数とを対応づけて表示する第１の表示手段と、
前記第１の表示手段により表示されたカテゴリのうち少なくとも一つが選択された場合に、前記第１の表示手段により表示された各カテゴリについて、前記選択されたカテゴリにも重複して分類される前記電子文書の個数を計数する第２の計数手段と、
前記各カテゴリと前記第２の計数手段により計数された前記電子文書の個数とを対応づけて表示する第２の表示手段と、
を備えることを特徴とするタキソノミー表示装置。
【請求項２】
複数の電子文書を多様な切り口から複数のカテゴリに分類してユーザに提示するタキソノミー表示装置において、
前記各カテゴリに分類される前記電子文書の個数を計数する第１の計数手段と、
前記各カテゴリと前記第１の計数手段により計数された前記電子文書の個数とを対応づけて表示する第１の表示手段と、
前記第１の表示手段により表示されたカテゴリのうち少なくとも一つが選択された場合に、前記第１の表示手段により表示された各カテゴリについて、前記選択されたカテゴリにも重複して分類される前記電子文書の個数を計数する第２の計数手段と、
前記各カテゴリと、前記第１の計数手段により計数された前記電子文書の個数に対する前記第２の計数手段により計数された前記電子文書の個数の比率を示すグラフとを対応づけて表示する第２の表示手段と、
を備えることを特徴とするタキソノミー表示装置。
【請求項３】
さらに、前記複数の電子文書を前記複数のカテゴリに分類するための分類体系を更新する更新手段と、
前記更新手段により更新された前記分類体系にもとづいて前記複数の電子文書を前記複数のカテゴリに分類する分類手段と、
を備えることを特徴とする前記請求項１または請求項２に記載のタキソノミー表示装置。
【請求項４】
複数の電子文書を多様な切り口から複数のカテゴリに分類してユーザに提示するタキソノミー表示方法において、
前記各カテゴリに分類される前記電子文書の個数を計数する第１の計数工程と、
前記各カテゴリと前記第１の計数工程で計数された前記電子文書の個数とを対応づけて表示する第１の表示工程と、
前記第１の表示工程で表示されたカテゴリのうち少なくとも一つが選択された場合に、前記第１の表示工程で表示された各カテゴリについて、前記選択されたカテゴリにも重複して分類される前記電子文書の個数を計数する第２の計数工程と、
前記各カテゴリと前記第２の計数工程で計数された前記電子文書の個数とを対応づけて表示する第２の表示工程と、
を含むことを特徴とするタキソノミー表示方法。
【請求項５】
複数の電子文書を多様な切り口から複数のカテゴリに分類してユーザに提示するタキソノミー表示方法において、
前記各カテゴリに分類される前記電子文書の個数を計数する第１の計数工程と、
前記各カテゴリと前記第１の計数工程で計数された前記電子文書の個数とを対応づけて表示する第１の表示工程と、
前記第１の表示工程で表示されたカテゴリのうち少なくとも一つが選択された場合に、前記第１の表示工程で表示された各カテゴリについて、前記選択されたカテゴリにも重複して分類される前記電子文書の個数を計数する第２の計数工程と、
前記各カテゴリと、前記第１の計数工程で計数された前記電子文書の個数に対する前記第２の計数工程で計数された前記電子文書の個数の比率を示すグラフとを対応づけて表示する第２の表示工程と、
を含むことを特徴とするタキソノミー表示方法。
【請求項６】
さらに、前記複数の電子文書を前記複数のカテゴリに分類するための分類体系を更新する更新工程と、
前記更新工程で更新された前記分類体系にもとづいて前記複数の電子文書を前記複数のカテゴリに分類する分類工程と、
を含むことを特徴とする前記請求項４または請求項５に記載のタキソノミー表示方法。
【請求項７】
前記請求項４〜請求項６のいずれか一つに記載された方法をコンピュータに実行させるタキソノミー表示プログラム。
【発明の詳細な説明】
【技術分野】
【０００１】
この発明は、複数の電子文書を多様な切り口から複数のカテゴリに分類してユーザに提示するタキソノミー表示装置、タキソノミー表示方法、およびタキソノミー表示プログラムに関する。
【背景技術】
【０００２】
複数の電子文書を、ある条件に適合する文書のみからなるカテゴリに分類することが従来から行われている。たとえば公開特許公報の全文が一件ずつ格納された複数のファイルを、出願人の住所地ごとに「北海道」「東北」・・・「九州沖縄」カテゴリのいずれかに分類する、などである。このようにカテゴリを定めて文書を分類しておくことで、大量の文書の中から目的の文書を容易に探し出すことができる。
【０００３】
もっとも一つの文書は、必ずしも一つのカテゴリにのみ分類されるものではない。たとえば北海道の企業と青森県の企業との共願にかかる特許の場合、その公開公報ファイルは「北海道」カテゴリおよび「東北」カテゴリのいずれにも分類されうる。すなわちこの場合、文書とカテゴリとは多対多の対応関係になっている。そして従来技術には、一文書につき複数のカテゴリへの分類を許容しているものも多い。
【発明の開示】
【発明が解決しようとする課題】
【０００４】
しかしながらこの場合、あるカテゴリに分類されている文書の中に、それ以外のカテゴリにも重複して分類されているものがどれだけあるかが分かりづらいという問題点があった。
【０００５】
たとえば図１に示すように、複数の文書１〜８が複数のカテゴリＡ〜Ｄに多対多の関係で分類されている場合、各カテゴリ内の文書名や文書数などは図２のように一覧表示すればよいが、この表からはカテゴリＡにもカテゴリＢにも分類される文書の総数は不明である。これをたとえば図３のように、個々のカテゴリとカテゴリのあらゆる組み合わせについて文書名や文書数を表示するようにすると、カテゴリの増加に伴って目的の箇所を見つけ出すことが困難になるほか、分類状況によっては文書数０の項目が多くなり画面領域の無駄である。
【０００６】
この発明は、上述した従来技術による問題点を解消するため、複数の文書が複数のカテゴリに多対多の関係で分類されている場合に、カテゴリ間に重複して分類される文書の個数を直感的に分かりやすく表示することが可能なタキソノミー表示装置、タキソノミー表示方法、およびタキソノミー表示プログラムを提供することを目的とする。
【課題を解決するための手段】
【０００７】
上述した課題を解決し、目的を達成するため、請求項１の発明にかかるタキソノミー表示装置は、複数の電子文書を多様な切り口から複数のカテゴリに分類してユーザに提示するタキソノミー表示装置において、前記各カテゴリに分類される前記電子文書の個数を計数する第１の計数手段と、前記各カテゴリと前記第１の計数手段により計数された前記電子文書の個数とを対応づけて表示する第１の表示手段と、前記第１の表示手段により表示されたカテゴリのうち少なくとも一つが選択された場合に、前記第１の表示手段により表示された各カテゴリについて、前記選択されたカテゴリにも重複して分類される前記電子文書の個数を計数する第２の計数手段と、前記各カテゴリと前記第２の計数手段により計数された前記電子文書の個数とを対応づけて表示する第２の表示手段と、を備えることを特徴とする。
【０００８】
この請求項１の発明によれば、画面表示されたいずれかのカテゴリを選択するだけで、当該カテゴリとそれ以外のカテゴリに重複して分類される文書の個数を一覧表示させることができる。
【０００９】
また、請求項２の発明にかかるタキソノミー表示装置は、複数の電子文書を多様な切り口から複数のカテゴリに分類してユーザに提示するタキソノミー表示装置において、前記各カテゴリに分類される前記電子文書の個数を計数する第１の計数手段と、前記各カテゴリと前記第１の計数手段により計数された前記電子文書の個数とを対応づけて表示する第１の表示手段と、前記第１の表示手段により表示されたカテゴリのうち少なくとも一つが選択された場合に、前記第１の表示手段により表示された各カテゴリについて、前記選択されたカテゴリにも重複して分類される前記電子文書の個数を計数する第２の計数手段と、前記各カテゴリと、前記第１の計数手段により計数された前記電子文書の個数に対する前記第２の計数手段により計数された前記電子文書の個数の比率を示すグラフとを対応づけて表示する第２の表示手段と、を備えることを特徴とする。
【００１０】
この請求項２の発明によれば、画面表示されたいずれかのカテゴリを選択するだけで、各カテゴリの文書中、選択中のカテゴリにも重複して分類される文書がどの程度の割合を占めているかを分かりやすく表示させることができる。
【００１１】
また、請求項３の発明にかかるタキソノミー表示装置は、前記請求項１または請求項２に記載の発明において、さらに、前記複数の電子文書を前記複数のカテゴリに分類するための分類体系を更新する更新手段と、前記更新手段により更新された前記分類体系にもとづいて前記複数の電子文書を前記複数のカテゴリに分類する分類手段と、を備えることを特徴とする。
【００１２】
この請求項３の発明によれば、分類体系を任意に修正した上で、文書の再分類や文書数の再計算などを実行させることができる。
【００１３】
また、請求項４の発明にかかるタキソノミー表示方法は、複数の電子文書を多様な切り口から複数のカテゴリに分類してユーザに提示するタキソノミー表示方法において、前記各カテゴリに分類される前記電子文書の個数を計数する第１の計数工程と、前記各カテゴリと前記第１の計数工程で計数された前記電子文書の個数とを対応づけて表示する第１の表示工程と、前記第１の表示工程で表示されたカテゴリのうち少なくとも一つが選択された場合に、前記第１の表示工程で表示された各カテゴリについて、前記選択されたカテゴリにも重複して分類される前記電子文書の個数を計数する第２の計数工程と、前記各カテゴリと前記第２の計数工程で計数された前記電子文書の個数とを対応づけて表示する第２の表示工程と、を含むことを特徴とする。
【００１４】
この請求項４の発明によれば、画面表示されたいずれかのカテゴリを選択するだけで、当該カテゴリとそれ以外のカテゴリに重複して分類される文書の個数を一覧表示させることができる。
【００１５】
また、請求項５の発明にかかるタキソノミー表示方法は、複数の電子文書を多様な切り口から複数のカテゴリに分類してユーザに提示するタキソノミー表示方法において、前記各カテゴリに分類される前記電子文書の個数を計数する第１の計数工程と、前記各カテゴリと前記第１の計数工程で計数された前記電子文書の個数とを対応づけて表示する第１の表示工程と、前記第１の表示工程で表示されたカテゴリのうち少なくとも一つが選択された場合に、前記第１の表示工程で表示された各カテゴリについて、前記選択されたカテゴリにも重複して分類される前記電子文書の個数を計数する第２の計数工程と、前記各カテゴリと、前記第１の計数工程で計数された前記電子文書の個数に対する前記第２の計数工程で計数された前記電子文書の個数の比率を示すグラフとを対応づけて表示する第２の表示工程と、を含むことを特徴とする。
【００１６】
この請求項５の発明によれば、画面表示されたいずれかのカテゴリを選択するだけで、各カテゴリの文書中、選択中のカテゴリにも重複して分類される文書がどの程度の割合を占めているかを分かりやすく表示させることができる。
【００１７】
また、請求項６の発明にかかるタキソノミー表示方法は、前記請求項４または請求項５に記載の発明において、さらに、前記複数の電子文書を前記複数のカテゴリに分類するための分類体系を更新する更新工程と、前記更新工程で更新された前記分類体系にもとづいて前記複数の電子文書を前記複数のカテゴリに分類する分類工程と、を含むことを特徴とする。
【００１８】
この請求項６の発明によれば、分類体系を任意に修正した上で、文書の再分類や文書数の再計算などを実行させることができる。
【００１９】
また、請求項７の発明にかかるタキソノミー表示プログラムによれば、請求項４〜請求項６のいずれか一つに記載された方法をコンピュータに実行させることができる。
【発明の効果】
【００２０】
本発明にかかるタキソノミー表示装置、タキソノミー表示方法、およびタキソノミー表示プログラムによれば、複数の文書が複数のカテゴリに多対多の関係で分類されている場合に、カテゴリ間に重複して分類される文書の個数を直感的に分かりやすく表示することができるという効果を奏する。
【発明を実施するための最良の形態】
【００２１】
以下に添付図面を参照して、この発明にかかるタキソノミー表示装置、タキソノミー表示方法、およびタキソノミー表示プログラムの好適な実施の形態を詳細に説明するが、その前に、本発明の骨子について簡単に説明する。
【００２２】
（発明の骨子）
本発明では図１に示したような文書の分類状況を、図２や図３のような表形式に代えて、図４あるいは図５のような形式で表示する。図４中、文書数表示エリア４００には「カテゴリ内の文書数／全文書数」の形式で、個々のカテゴリに分類されている文書の総数が表示される。たとえばカテゴリＡであれば、全部で８つある文書のうち３つの文書がこのカテゴリに分類されていることが分かる。
【００２３】
そして、文書数表示エリア４００でどのカテゴリも選択されていない場合は、その下の文書一覧表示エリア４０１は空欄であるが、たとえばカテゴリＡのチェックボックス４００ａにチェックを入れると、図５に示すようにカテゴリＡ内の３文書（具体的には文書１・文書２・文書３）のタイトルとＵＲＬとが、文書一覧表示エリア４０１に表示される。
【００２４】
そしてこのとき、文書数表示エリア４００内でカテゴリごとに表示される数値は、「カテゴリ内の文書のうち選択中のカテゴリにも分類される文書数／カテゴリ内の文書数」となっている。すなわち、たとえばカテゴリＢの「１／３」は、全文書中カテゴリＢに分類される３つの文書のうち、カテゴリＡにも重複して分類される文書は一つであることを示している。なお、カテゴリＡは「３／３」であり、このように選択中のカテゴリでは常に「／」の前後の値が等しくなる。
【００２５】
図５の画面は図４でカテゴリＡを選択した例であるが、カテゴリＢを選択したときの画面は図６のようになる。図５と同様に、文書数表示エリア４００には各カテゴリの文書中、選択中のカテゴリにも分類される文書数が表示されており、たとえばカテゴリＡの３文書のうち、カテゴリＢにも分類される文書は一つであることが分かる。なお、文書一覧表示エリア４０１には選択中のカテゴリＢ内の３文書（具体的には文書３・文書４・文書５）のタイトルとＵＲＬとが表示される。
【００２６】
このように本発明では、たとえば図５のようにカテゴリＡを選択すると「Ａ∩Ａ」「Ａ∩Ｂ」「Ａ∩Ｃ」「Ａ∩Ｄ」の文書数が、カテゴリＢを選択すると「Ｂ∩Ａ」「Ｂ∩Ｂ」「Ｂ∩Ｃ」「Ｂ∩Ｄ」の文書数が、それぞれカテゴリＡ〜Ｄ内の文書数とあわせて表示される。そしてユーザは注目しているカテゴリ内の文書が、それ以外のカテゴリにもどの程度重複して分類されているかを容易に把握することができる。
【００２７】
なお、本発明により実現される機能を含め、分類条件を定義することで仮想的に情報を体系化して、一つの情報をさまざまな切り口・さまざまな見せ方でユーザに提示できる機能を、本出願人は「タキソノミー機能」と総称している。タキソノミーとは一般には「分類学」を指すが、本技術分野では「情報の分類体系」を意味しており、これをたどることで目的の情報へのアクセスが容易になるほか、情報間の関係性を理解することも可能となる。
【００２８】
（実施の形態）
図７は、この発明の実施の形態にかかるタキソノミー表示装置のハードウエア構成の一例を示す説明図である。図中、７０１は装置全体を制御するＣＰＵを、７０２は基本入出力プログラムなどを記憶したＲＯＭを、７０３はＣＰＵ７０１のワークエリアとして使用されるＲＡＭを、それぞれ示している。
【００２９】
また、７０４はＣＰＵ７０１の制御にしたがってＨＤ（ハードディスク）７０５に対するデータのリード／ライトを制御するＨＤＤ（ハードディスクドライブ）を、７０５はＨＤＤ７０４の制御にしたがって書き込まれたデータを記憶するＨＤを、それぞれ示している。
【００３０】
また、７０６はＣＰＵ７０１の制御にしたがってＦＤ（フレキシブルディスク）７０７に対するデータのリード／ライトを制御するＦＤＤ（フレキシブルディスクドライブ）を、７０７はＦＤＤ７０６の制御にしたがって書き込まれたデータを記憶する着脱自在のＦＤを、それぞれ示している。
【００３１】
また、７０８はＣＰＵ７０１の制御にしたがってＣＤ−ＲＷやＣＤ−Ｒ、あるいはＣＤ−ＲＯＭ７０９に対するデータのリード／ライトを制御するＣＤ−ＲＷドライブを、７０９はＣＤ−ＲＷドライブ７０８の制御にしたがって読み出されるデータを記憶する着脱自在のＣＤ−ＲＯＭを、それぞれ示している。
【００３２】
また、７１０はカーソル、メニュー、ウィンドウ、あるいは文字や画像などの各種データを表示するディスプレイを、７１１は文字、数値、各種指示などの入力のための複数のキーを備えたキーボードを、７１２は各種指示の選択や実行、処理対象の選択、マウスポインタの移動などを行うマウスを、それぞれ示している。
【００３３】
また、７１３は通信ケーブル７１４を介してＬＡＮやＷＡＮなどのネットワークに接続され、当該ネットワークとＣＰＵ７０１とのインターフェースとして機能するネットワークＩ／Ｆを、７００は上記各部を接続するためのバスを、それぞれ示している。
【００３４】
次に、図８はこの発明の実施の形態にかかるタキソノミー表示装置の構成を機能的に示す説明図である。図中、８００は文書情報記憶部であり、本装置が分類対象とする複数の文書の文書情報を保持する機能部である。ここで「文書情報」とは、たとえば文書ごとの一意なＩＤ、本文内の語彙やタイトル、ＵＲＬや作成日時といった属性情報などである。また、分類対象文書はいずれも公開特許公報の全文が一件ずつ格納されたファイルであり、その本体はネットワーク上のデータベース（図中「公開特許ＤＢ」）に保持されているものとするが、本装置内で保持するようにしてももちろんよい。
【００３５】
８０１は文書分類部であり、文書情報記憶部８００内の文書情報および後述する分類体系記憶部８０６内の分類体系ファイルを参照して、上記文書を分類する記憶部である。後述のようにこの「分類体系ファイル」とは、複数のカテゴリのグループ関係や各カテゴリへの分類条件（各カテゴリに分類される文書が満足すべき条件）などを定義するＸＭＬファイルである。なお、一つの文書が複数のカテゴリの分類条件に適合するときは、文書分類部８０１は当該カテゴリのすべてを当該文書の分類先とする。
【００３６】
８０２は分類結果記憶部であり、文書分類部８０１による分類結果を保持する機能部である。分類結果のデータ構造は任意であるが、ここではたとえば図９に示すようなテーブル形式であるものとする。
【００３７】
後述のように、本発明では複数の「カテゴリ」（本出願人の用語では「要素」）を「観点」（同「軸」）という上位概念の下にグルーピングしている。たとえば公開特許公報であれば、「地域」（出願人の住所地）という観点の下に「北海道」「東北」・・・「九州沖縄」などのカテゴリが、「業種」（出願人の業種）という観点の下に「製造」「サービス」・・・「その他」などのカテゴリがある。そして同名のカテゴリでも、上位の観点が異なれば異なるカテゴリとして扱われる。図示するテーブルでは、異なるカテゴリの個数分だけ列項目が用意され、行項目である各文書について、その分類先のカテゴリ（複数あってもよい）に「○」が設定されている。なお、実際のデータでは○の箇所にだけ１（ビット）が立っている。
【００３８】
図８の説明に戻り、次に８０３はＵＩ（ユーザインターフェース）画面表示部であり、後述する各種画面をディスプレイ７１０に表示するとともに、当該画面への入力に応じて、後述する文書検索部８０４や分類体系設定部８０５などに必要な処理を指示する機能部である。図示するようにＵＩ画面表示部８０３は、文書数カウント部８０３ａを含む構成である。また、８０４は文書検索部であり、ＵＩ画面表示部８０３から指示された文書の文書情報を文書情報記憶部８００から読み出したり、当該文書の本体を外部のデータベースから読み出したりする機能部である。
【００３９】
図１０は、ＵＩ画面表示部８０３により表示されるメイン画面の一例を示す説明図である。メイン画面では、後述する分類体系記憶部８０６内の分類体系ファイルにしたがって、複数のカテゴリが観点ごとに分類して表示される。そして個々のカテゴリ名の右隣には、文書数カウント部８０３ａによりカウントされた、各カテゴリの文書の総数が示されている。たとえば「地域」観点の「北海道」カテゴリ（以下では「「地域−北海道」カテゴリ」という）の場合、当該カテゴリに分類されている文書は全文書中１５９個である。
【００４０】
そして図示する画面で、ユーザがたとえば「地域−東北」カテゴリを選択する（「地域−東北」カテゴリのチェックボックスにチェックを入れる）と、これを受けたＵＩ画面表示部８０３は、その文書数カウント部８０３ａにより分類結果記憶部８０２を参照して、選択されたカテゴリと他のすべてのカテゴリとの組み合わせについて文書数を計算する。
【００４１】
すなわち図１０の例では、「地域−東北∩地域−北海道」「地域−東北∩地域−関東」「地域−東北∩地域−中部東海」・・・「地域−東北∩業種−製造」・・・「地域−東北∩ジャンル−その他」の１４通りの組み合わせについて、そこに含まれる文書の数を求めることになる。そして、たとえば「地域−東北」にも「地域−北海道」にも分類される文書の個数は、１番目と２番目のビットだけ１、後続のビットはすべて０のｎ個のビット列（ｎは分類結果テーブルの列項目数）を作成して、図９の各レコードとの論理積を取り、その結果が当該ビット列と同一になるレコードの個数をカウントすることで求められる。
【００４２】
また、ＵＩ画面表示部８０３は上記と平行して、選択された「地域−東北」カテゴリに分類される文書のＩＤを図９の分類結果テーブルから読み出し、当該ＩＤで特定される文書の文書情報を返すよう文書検索部８０４に指示する。そしてこれを受けた文書検索部８０４では、上記ＩＤで文書情報記憶部８００を検索し、各文書の文書情報（たとえばそのうちタイトルやＵＲＬなど）を取得する。
【００４３】
その後ＵＩ画面表示部８０３は、文書数カウント部８０３ａで求めた文書数と、文書検索部８０４から返されてきた文書情報とを図１１のように画面表示する。図中、各カテゴリの右隣の数値は「カテゴリ内の文書のうち選択中のカテゴリにも分類される文書数／カテゴリ内の文書数」を意味しており、たとえば「地域−北海道」カテゴリであれば、当該カテゴリに分類される１５９個の文書のうち、選択中の「地域−東北」カテゴリにも分類される文書は５個である。また「地域−東北」カテゴリと「業種−製造」カテゴリのいずれにも分類される文書は８０個である。
【００４４】
図８の説明に戻り、次に８０５は分類体系設定部であり、ＵＩ画面表示部８０３から入力した設定内容にしたがって、「分類体系ファイル」すなわち複数のカテゴリのグループ関係や各カテゴリへの分類条件などを定義したＸＭＬファイルを作成・編集する機能部である。また、８０６は分類体系記憶部であり、分類体系設定部８０５で作成・編集された分類体系ファイルを保持する機能部である。
【００４５】
図１０や図１１の画面に示されたいずれかの観点名、たとえば「地域」がクリックされると、ＵＩ画面表示部８０３は図１２に示すような分類体系設定画面を表示する。図示する画面には、「地域」の下に既に定義されているカテゴリの名称（「北海道」「東北」・・・「九州沖縄」）と各カテゴリに分類される文書が満足すべき条件（分類条件）とが一覧表示され、これを編集することで既存の分類体系を修正できる。また、既存のカテゴリの削除も可能である。なお、一番下には新規カテゴリの入力欄１２００が設けられ、ここに任意の名称と分類条件を設定することで、上記観点にカテゴリを追加することができる。
【００４６】
なお、図中「クエリー」とは文書の本文内に出現すべき語彙である。また、図中「制約条件」とは文書の属性が満足すべき条件であり、たとえば作成日時が２００４年以降である文書のみをそのカテゴリに分類させることなどができる。なお、ここでは分類条件として「クエリー」と「制約条件」の二つのみを挙げたが、文書分類部８０１においてたとえばベクトル空間法による分類手法を採用するときは、文書が達成すべき最低のスコアや順位などをあわせて定義できるようにしてもよい。
【００４７】
また、分類体系に新たな観点を追加したいときは、たとえば図１０や図１１の画面で観点追加ボタン１０００をクリックする。この場合もＵＩ画面表示部８０３は、図１２に示したような分類体系設定画面（ただしこの場合はすべての入力項目が空欄）を表示する。
【００４８】
次に、図１３はこの発明の実施の形態にかかるタキソノミー表示装置における、タキソノミー表示処理の手順を示すフローチャートである。図示する処理の開始に先立って、分類体系記憶部８０６には分類の基礎となる分類体系が既に設定されているものとする。
【００４９】
ユーザからの文書分類指示があると（ステップＳ１３０１：Ｙｅｓ）、本装置はまずその文書分類部８０１により、文書情報記憶部８００内の文書情報を参照して、個々の文書の分類先となるカテゴリを判定する（ステップＳ１３０２）。そして、図９に示したような分類結果テーブルを生成し、分類結果記憶部８０２に保存する（ステップＳ１３０３）。
【００５０】
次にＵＩ画面表示部８０３が、図１０に示したようなメイン画面を表示するために、まずその文書数カウント部８０３ａで各カテゴリに分類される文書数をカウントする（ステップＳ１３０４）。そして、各カテゴリとそこに含まれる文書数とを対応づけて、図１０のようなメイン画面を表示する（ステップＳ１３０５）。
【００５１】
次に、図示する画面でユーザがいずれかのカテゴリを選択すると（ステップＳ１３０６：Ｙｅｓ）、ＵＩ画面表示部８０３はその文書数カウント部８０３ａで、全カテゴリについて上記で選択されたカテゴリにも重複して分類される文書数をカウントする（ステップＳ１３０７）。また、これとともに選択されたカテゴリ内の文書ＩＤを文書検索部８０４に出力し、当該ＩＤで特定される文書の文書情報、具体的にはタイトルとＵＲＬを読み出させる（ステップＳ１３０８）。そして、文書数カウント部８０３ａで再計算された文書数と、文書検索部８０４で読み出された文書情報を用いて、図１０の画面を図１１のように再表示する（ステップＳ１３０９）。
【００５２】
また、図１０や図１１の画面でユーザが分類体系の設定を指示する、具体的にはいずれかの観点名あるいは観点追加ボタン１０００をクリックすると（ステップＳ１３０６：Ｎｏ、ステップＳ１３１０：Ｙｅｓ）、ＵＩ画面表示部８０３は図１２に示したような分類体系設定画面を表示するとともに（ステップＳ１３１１）、当該画面での設定内容を分類体系設定部８０５に出力する。そして、これを受けた分類体系設定部８０５は、上記内容にしたがって分類体系記憶部８０６内の分類体系ファイルを更新する（ステップＳ１３１２）。その後、更新後の分類体系にしたがって文書の再分類・文書数の再計算を行い、メイン画面を再表示する（ステップＳ１３０２〜Ｓ１３０５）。
【００５３】
なお、ここではステップＳ１３１２からステップＳ１３０２へとすぐ移行するようにしたが、分類体系の更新後、再分類や文書数の再計算は再度ユーザからの指示を待って行うようにしてもよい（分類体系が更新されたからといって、必ずしもすぐに分類をやり直さなければならないものではない）。
【００５４】
また、図１０や図１１の画面でユーザが文書一覧内の文書の表示を指示する、具体的にはそのＵＲＬをクリックすると（ステップＳ１３０６：Ｎｏ、ステップＳ１３１０：Ｎｏ、ステップＳ１３１３：Ｙｅｓ）、ＵＩ画面表示部８０３からの指示を受けた文書検索部８０４が、当該ＵＲＬで特定される文書の本体を取得する（ステップＳ１３１４）。そして、ＵＩ画面表示部８０３はメイン画面とは別のウィンドウを開いて、上記文書の本文を表示する（ステップＳ１３１５）。
【００５５】
以後、終了が指示されるまでステップＳ１３０６以下の処理を繰り返し（ステップＳ１３０６：Ｎｏ、ステップＳ１３１０：Ｎｏ、ステップＳ１３１３：Ｎｏ、ステップＳ１３１６：Ｎｏ）、ユーザがメニューなどから終了を指示したときは（ステップＳ１３１６：Ｙｅｓ）、ＵＩ画面表示部８０３で表示中の画面を消去（ステップＳ１３１７）して終了する。
【００５６】
以上説明した実施の形態によれば、複数の文書が複数のカテゴリに分類されている状況において、注目中のカテゴリに分類される文書が他のカテゴリにどれだけあるかを容易に把握することができる。たとえば図１１の例では、北海道地方の出願人と東北地方の出願人との共願にかかる特許出願が５件あることや、東北地方からの出願のうち製造業にかかるものは８０件あることなどが分かる。そして、たとえば重複する文書の多寡によってカテゴリ間の関連の強度を推定し、各地方で技術革新の牽引役となっているのはどの業種であるか、そもそも地方ごとの特色があるのかどうかといった、高度で知的な分析の基礎とすることができる。
【００５７】
なお、上述した図１１の例はカテゴリを一つだけ選択した例であるが、その選択がチェックボックスへのチェックによることからも分かるように、同時に複数のカテゴリを選択することも可能である。同一の観点の中で複数のカテゴリを選択することも、複数の観点にまたがって複数のカテゴリを選択することもできる。たとえば図１１で「地域−東北」とともに「業種−製造」を選択した場合、「地域−北海道」の右隣には「地域−北海道∩地域−東北∩業種−製造の文書数／地域−北海道の文書数」が表示されることになる。
【００５８】
なお、上述した実施の形態ではたとえばカテゴリＡが選択された場合、「Ａ∩Ｂ」「Ａ∩Ｃ」「Ａ∩Ｄ」などについて文書数を求めたが、代わりに「Ａ∪Ｂ」「Ａ∪Ｃ」「Ａ∪Ｄ」などについて文書数を求めるようにしてもよい。これはたとえば上述の、図９の各レコードとのビット演算で、演算後のビット列がオール０でないレコードの数をカウントすることで求められる。
【００５９】
なお、上述した実施の形態ではカテゴリの選択時に、他のカテゴリについて文書数を再計算・再表示するのみであるが、たとえば再計算された文書数の多いカテゴリ（選択されたカテゴリとより多くの文書を共有するカテゴリ）ほど上に、そうでないカテゴリほど下になるよう、カテゴリの表示順序を入れ替えるようにしてもよい。
【００６０】
なお、上述した実施の形態ではもっぱら公開特許公報を分類対象としたため、観点やカテゴリも図１０や図１１のようなものとなっているが、対象となる文書の性質が異なれば、当然分類体系も異なってくる。そこで図１０や図１１のメイン画面には、選択中のデータベースに固有の分類体系のみを表示するようにしてもよいし（したがって対象データベースが切り替えられたときは、同時にその下の分類体系も切り替え先のデータベースのものとなる）、あるいは選択可能なデータベースのそれぞれについて定義された観点やカテゴリを、特に区別なく一画面に表示して、データベース間で共有できるようにしてもよい。図１４は前者の例であり、対象データベースがたとえば「営業報告書」であるときは、画面上の観点やカテゴリも当該データベース用となっていることが分かる。
【００６１】
なお、図１４の画面では「カテゴリ内の文書のうち選択中のカテゴリにも分類される文書数／カテゴリ内の文書数」を数値表示するとともに、両者の比率を示す棒グラフをあわせて表示している。たとえば、図中「担当者−Ａ山一郎」カテゴリの棒グラフ１４００は、その全体の長さが１０７（「担当者−Ａ山一郎」カテゴリ内の文書数）、全体のうち色の濃い部分の長さが２７（「担当者−Ａ山一郎カテゴリ内の文書のうち、選択中の「内容−提案」カテゴリにも分類される文書数）に対応している。上述のように選択中のカテゴリにも分類される文書の件数は、どのカテゴリが選択されるかによって変わるので、濃い色の部分の長さがグラフ全体の長さに占める割合は動的に変化する（一方、グラフ全体の長さはカテゴリの選択状況には依存せず一定である）。
【００６２】
なお、グラフは図示するような棒グラフに限らず何であってもよい。また、数値表示とグラフ表示は両方必要なわけではなく、どちらか一方だけであってももちろんよい。図１４のようにグラフ表示することで、あるカテゴリに、選択中のカテゴリにも重複して分類される文書がどの程度あるかをより直感的にユーザに提示できる。そしてユーザは通常は、選択中のカテゴリと共通する文書の比率が高いカテゴリ、すなわち選択中のカテゴリとの関連性が強く示唆されるカテゴリを次に選択してゆくので、グラフ表示により、次に選択すべきカテゴリをユーザに分かりやすく推薦できるという効果がある。
【００６３】
また、図１４の画面では現在選択中の「内容−提案」カテゴリの欄を強調表示している（具体的には、背景色を他の欄と異ならせる、網掛け表示する、欄内の文字を太字にするなど）。
【００６４】
また、現在選択中のカテゴリと共通の文書を一つも持たないカテゴリ、図示する例では「国内地域−北海道」カテゴリと「国内地域−九州沖縄」カテゴリの欄はグレーアウトされ、この状態では選択不能であるが、選択中のカテゴリの少なくとも一つが非選択状態になる（選択が解除される）ことで、共通する文書数が０件でなくなったときは、選択可能となり表示形態も通常表示に戻る。もっとも「国内地域−北海道」カテゴリは、どのカテゴリとも共通の文書を持たない（そもそも当該カテゴリに分類される文書がない）ために、どのカテゴリが選択されても常にグレーアウトのままとなる。なお、グレーアウトでなく単に表示形態を通常表示とは異ならせる（たとえば淡色表示する）だけで、カテゴリの選択自体は可能なようにしてもよい。
【００６５】
なお、本実施の形態で説明したタキソノミー表示方法は、予め用意されたプログラムをパーソナル・コンピュータやワークステーション等のコンピュータで実行することにより実現することができる。このプログラムは、ＨＤ、ＦＤ、ＣＤ−ＲＯＭ、ＣＤ−ＲＷ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００６６】
以上のように、本発明にかかるタキソノミー表示装置、タキソノミー表示方法、およびタキソノミー表示プログラムは、一定の分類体系の下で体系化された電子文書の分類状況を多面的に閲覧する用途に有用であり、特に複数の文書が複数のカテゴリに多対多の関係で分類されていて、全体の分類状況が直感的に分かりづらい場合に適している。
【図面の簡単な説明】
【００６７】
【図１】複数の文書と複数のカテゴリとの対応関係を模式的に示す説明図である。
【図２】図１に示した対応関係の表示例を示す説明図である。
【図３】図１に示した対応関係の他の表示例を示す説明図である。
【図４】図１に示した対応関係のこの発明による表示例を示す説明図である。
【図５】図１に示した対応関係のこの発明による他の表示例を示す説明図である。
【図６】図１に示した対応関係のこの発明による他の表示例を示す説明図である。
【図７】この発明の実施の形態にかかるタキソノミー表示装置のハードウエア構成の一例を示す説明図である。
【図８】この発明の実施の形態にかかるタキソノミー表示装置の構成を機能的に示す説明図である。
【図９】分類結果記憶部８０２に保持される分類結果テーブルの構造を模式的に示す説明図である。
【図１０】ＵＩ画面表示部８０３により表示されるメイン画面の一例（カテゴリ選択前）を示す説明図である。
【図１１】ＵＩ画面表示部８０３により表示されるメイン画面の一例（カテゴリ選択後）を示す説明図である。
【図１２】ＵＩ画面表示部８０３により表示される分類体系設定画面の一例を示す説明図である。
【図１３】この発明の実施の形態にかかるタキソノミー表示装置における、タキソノミー表示処理の手順を示すフローチャートである。
【図１４】ＵＩ画面表示部８０３により表示されるメイン画面の他の一例（カテゴリ選択後）を示す説明図である。
【符号の説明】
【００６８】
７００  バス
７０１  ＣＰＵ
７０２  ＲＯＭ
７０３  ＲＡＭ
７０４  ＨＤＤ
７０５  ＨＤ
７０６  ＦＤＤ
７０７  ＦＤ
７０８  ＣＤ−ＲＷドライブ
７０９  ＣＤ−ＲＷ
７１０  ディスプレイ
７１１  キーボード
７１２  マウス
７１３  ネットワークＩ／Ｆ
７１４  通信ケーブル
８００  文書情報記憶部
８０１  文書分類部
８０２  分類結果記憶部
８０３  ＵＩ画面表示部
８０３ａ  文書数カウント部
８０４  文書検索部
８０５  分類体系設定部
８０６  分類体系記憶部
【図１】
2005267597.tif 000003
【図２】
2005267597.tif 000004
【図３】
2005267597.tif 000005
【図４】
2005267597.tif 000006
【図５】
2005267597.tif 000007
【図６】
2005267597.tif 000008
【図７】
2005267597.tif 000009
【図８】
2005267597.tif 000010
【図９】
2005267597.tif 000011
【図１０】
2005267597.tif 000012
【図１１】
2005267597.tif 000013
【図１２】
2005267597.tif 000014
【図１３】
2005267597.tif 000015
【図１４】
2005267597.tif 000016